(57)【特許請求の範囲】
【請求項１】
遊技機毎の稼動データを管理するためのデータ管理手段と、
同一の遊技客による遊技期間を判定する客交替判定手段と、
この客交替判定手段による判定結果に基づいて遊技機毎に遊技客毎の稼動データを集計すると共に、その遊技客毎の稼動データの分散度を遊技機毎に求める遊技分散度判定手段と、
この遊技分散度判定手段が遊技機毎に求めた遊技客毎の稼動データの分散度が予め設定した基準遊技分散度から外れていたときは不正基板が使用されている可能性が高いとして異常を報知する報知手段とを備えたことを特徴とする遊技機の異常検出装置。
【発明の詳細な説明】
【０００１】
【発明の属する技術分野】
本発明は、遊技機の稼動データに基づいて遊技機の異常を検出するための遊技機の異常検出装置に関する。
【０００２】
【発明が解決しようとする課題】
最近、夜間など人気のないときにパチンコホールに忍び込み、パチンコゲーム機の制御基板を所謂不正基板に取替え、営業時間中に不正基板が装着されたパチンコゲーム機で遊技することにより不正に出玉を獲得するという犯罪が発生している。
【０００３】
このような不正基板は極めて精巧に作られており、外見からは全く判断することができない。従って、不正基板を発見するために、制御基板からＲＯＭを取外して検査する方法しかないが、もともとパチンコゲーム機の基板は出荷後の改ざんを防止するために封印されており、検査ができないという事情がある。
【０００４】
また、不正基板のＲＯＭに記憶された不正プログラムとしては、特賞確率などが極端に低いプログラムと極端に高いプログラムとが記憶されており、通常は前者のプログラムで動作し、何らかの特殊な打ち方をすることにより所望の期間だけ特賞確率などが極端に高いプログラムが動作するようになっているので、実際に打ち込みを行うことにより検査するという方法では不正基板を発見することは困難であった。
【０００５】
つまり、パチンコゲーム機の一日の稼動データの収支は平均的なデータとなるので、従来の判定方法では、稼動データから不正基板を発見することはできなかった。
【０００６】
ここで、図４は正規基板と不正基板の稼動データの一例を示している。この図４において、稼動データに基づく不正の判定項目としては、（１）初回特賞発生率、（２）確変突入率、（３）最大連チャン発生回数、（４）最大連チャン連続回数、（５）最大差（台の特性に応じた最大出玉数）、（６）代表差（最大差と最小差の幅）が設定されているものの、不正基板の稼動データは正常範囲であることから、判定結果はＯＫとなり不正基板を発見することはできない。
【０００７】
この結果、不正客は、大量の出玉を獲得することができるものの、一般客はほとんど出玉を得ることができないので、トータルの出玉率は正常な範囲に収まってしまう。このため、遊技店側には実害がないものの、一般客の店離れを引き起こしてしまう。
【０００８】
本発明は上記事情に鑑みてなされたもので、その目的は、遊技機の稼動データに基づいて遊技機の異常を発見することが可能となる遊技機の異常検出装置を提供することにある。
【０００９】
【課題を解決するための手段】
本発明の遊技機の異常検出装置は、遊技機毎の稼動データを管理するためのデータ管理手段を設け、同一の遊技客による遊技期間を判定する客交替判定手段を設け、この客交替判定手段による判定結果に基づいて遊技機毎に遊技客毎の稼動データを集計すると共に、その遊技客毎の稼動データの分散度を遊技機毎に求める遊技分散度判定手段を設け、この遊技分散度判定手段が遊技機毎に求めた遊技客毎の稼動データの分散度が予め設定した基準遊技分散度から外れていたときは不正基板が使用されている可能性が高いとして異常を報知する報知手段を設けたものである。
【００１０】
このような構成によれば、データ管理手段は、遊技機の稼動データを管理している。また、客交替判定手段は、同一の遊技客による遊技期間を判定している。そして、遊技分散度判定手段は、客交替判定手段による判定結果に基づいて遊技客毎の稼動データを集計すると共に、そのデータの分散度を遊技機毎に求める。
【００１１】
ここで、報知手段は、遊技分散度判定手段が遊技機毎に求めた遊技客毎の稼動データの分散度が予め設定した基準分散度を上回っていたときは異常を報知する。これにより、報知手段からの異常の報知により不正基板が使用されていると判断することができる。
【００１２】
【発明の実施の形態】
以下、本発明をパチンコホールに適用した一実施例を図１乃至図３を参照して説明する。
図１は全体のシステム構成を示している。この図１において、データ収集端末器１はパチンコゲーム機２（遊技機に相当）毎に対応して設置されており、パチンコゲーム機２側から入賞信号、スタート信号及び特賞信号を入力したときは、それらの入力を示す遊技データに自己のＩＤを付加してホールコンピュータ３（データ管理手段、客交替判定手段、遊技分散度判定手段、報知手段に相当）に送信する。
【００１３】
従って、ホールコンピュータ３は、データ収集端末器１からの遊技データに付加されたＩＤに基づいて入賞、スタート或いは特賞が発生したパチンコゲーム機２を特定することができる。
【００１４】
また、パチンコゲーム機２に対応してアウト玉計数器４及びセーフ玉計数器５が設置されており、データ収集端末器１は、それらのアウト玉計数器４及びセーフ玉計数器５からアウト玉信号若しくはセーフ玉信号を入力したときは、それらの入力を示す遊技データに自己のＩＤを付加してホールコンピュータ３に送信する。
【００１５】
従って、ホールコンピュータ３は、データ収集端末器１からの遊技データに付加されたＩＤに基づいてパチンコゲーム機２毎のアウト玉数及びセーフ玉数を管理することができる。
【００１６】
一方、台毎計数リプレイ機６はカードリーダ、玉貸機及び計数器（何れも図示せず）を備えて構成されている。この台毎計数リプレイ機６は貯玉システムを実現するために設けられたもので、遊技客が正規の会員カードをカードリーダに挿入した状態で預り玉数の範囲内で返却玉数を指示したときは、指示された玉数分のパチンコ玉を返却すると共に、返却玉数分だけ預り玉数を更新するようになっている。また、計数器によりパチンコ玉が計数されたときに貯玉が指示されたときは、カードリーダに正規の会員カードが挿入されていることを確認してから預り玉数を更新するようになっている。尚、台毎計数リプレイ機６は、会員カードが利用されることなく現金が投入されたときは玉貸機から投入価額に相当するパチンコ玉を貸し出す。
【００１７】
ホールコンピュータ３は、演算処理部７、設定比較部８及び異常検知部９を備えて構成されている。ここで、演算処理部７は、データ収集端末器１から送信された遊技データに基づいてパチンコゲーム機２毎の稼動データを演算すると共に、後述するように分散度データを求める。設定比較部８は、演算処理部７が求めた分散度データと予め設定された基準データとを比較することにより分散度データが基準データから外れているか否かを判断する。
そして、異常報知部９は、設定比較部により分散度データが異常であると判断したときは、異常報知を行うようになっている。
【００１８】
次に上記構成の作用について説明する。
遊技客が台毎計数リプレイ機６のカードリーダに会員カードを挿入したときは、台毎計数リプレイ機６は、会員カードが正規のものかを判断し、正規の会員カードであったときは会員カードに記憶された遊技客データを読取ってデータ収集端末器１を通じてホールコンピュータ３に送信することにより会員カードが有効か否かを判断する。このとき、会員カードが有効であったときは会員データに対応して記憶されている預り玉数がホールコンピュータ３からデータ収集端末器１を通じて台毎計数リプレイ機６に送信されるので、台毎計数リプレイ機６は返却可能な玉数を表示する。
【００１９】
そして、遊技客が表示された返却可能な玉数の範囲内で所望の玉数を指示すると、台毎計数リプレイ機６は、指示された玉数分のパチンコ玉を玉貸機から放出すると共に、返却玉数分だけ預り玉数を更新する。
【００２０】
さて、以上のようにして台毎計数リプレイ機６から入手したパチンコ玉により遊技客がパチンコゲーム機２で遊技を開始すると、遊技の進行に伴ってパチンコゲーム機２に打ち込まれたパチンコ玉はアウト玉として排出されると共に、入賞の発生に応じてパチンコゲーム機２からセーフ玉が払出される。
【００２１】
この場合、アウト玉計数器４からはアウト玉の発生を示すアウト玉信号が出力されると共に、セーフ玉計数器５からはセーフ玉の発生を示すセーフ玉信号がデータ収集端末器１に出力されるので、データ収集端末器１は、アウト玉信号或いはセーフ玉信号を入力したときは、それらの発生を示す遊技データにＩＤを付加してホールコンピュータ３に出力する。これにより、ホールコンピュータ３はパチンコゲーム機２毎に稼動データとして差玉（セーフ玉数−アウト玉数）の変化を求めることができる。
【００２２】
また、パチンコゲーム機２からはパチンコ玉の入賞孔への入賞に応じて入賞信号が出力されると共に、スタート入賞孔への入賞に応じてスタート信号が出力され。さらにスタートに伴って特賞が発生したときは特賞信号が出力されるので、データ収集端末器１は、入賞信号、スタート信号及び特賞信号を入力したときは、それらの発生を示す遊技データにＩＤを付加してホールコンピュータ３に出力する。これにより、ホールコンピュータ３はパチンコゲーム機２毎に稼動データとして入賞、スタート及び特賞の発生を管理することができる。
【００２３】
また、遊技客が獲得したパチンコ玉を貯玉として預けるときは、台毎計数リプレイ機６のカードリーダに会員カードを挿入した状態で玉計数器によりパチンコ玉を計数する。
【００２４】
この場合、台毎計数リプレイ機６から計数値を示す計数信号が出力されるので、データ収集端末器１は、台毎計数リプレイ機６から計数値を示す計数信号を入力したときは、計数値を示す遊技データをホールコンピュータ３に出力する。これにより、ホールコンピュータ３は、遊技客毎の預り玉数を更新管理することができる。
【００２５】
図２は所定のパチンコゲーム機２の一日における差玉の変化を示すと共に、各遊技客毎の差玉及び特賞回数を示している。
この場合、遊技客が交替することの判定方法としては、以下に示す場合が考えられる。
【００２６】
（１）上述したように台毎計数リプレイ機６に会員カードを利用して貯玉が出入れされたとき
（２）遊技客による差玉が正（セーフ玉数がアウト玉数を上回っている）の状態で売上が検出されたとき（つまり、遊技客が手持ちの玉を保有した状態で新たにパチンコ玉を購入することはあり得ないので、このような場合は、新規の遊技客が遊技を開始したと見なすことができる）
（３）担当従業員により遊技客の交替が目視確認されたとき
尚、図２では、説明の簡略化のために所定のパチンコゲーム機２での遊技客の数を４人としたが、１台のパチンコゲーム機２での遊技客の数は実際にはそれ以上である。
【００２７】
この例では、図２に示すように、１人目の遊技客による差玉は−２５００個で特賞回数は３回であった。また、２人目の遊技客による差玉は＋１２０００個で特賞回数は９回であった。また、３人目の遊技客による差玉は＋３０００個で特賞回数は５回であった。そして、４人目の遊技客による差玉は−２５００個で特賞回数は０回であった。
【００２８】
さて、上述のようにして１日分の各遊技客による差玉及び特賞回数の検出が終了したときは、以下のようにして当該パチンコゲーム機２の差玉標準偏差値及び特賞標準偏差値を求める。
【００２９】
即ち、まず、差玉平均値を求める。この場合、４人の遊技客による差玉は−２５００個、＋１２０００個、＋３０００個、−２５００個であるので、その平均値は２５００個となる。
【００３０】
次に、平均値に対する差玉分散値を次の式から求める。
差玉分散値＝｛（２５００−２５００）２  ＋（１２０００−２５００）２  ＋（３０００−２５００）２  ＋（−２５００−２５００）２  ｝／４＝３５１２５００
この差玉分散値は各遊技客による差玉の分散している度合いを示しており、この値が大きい程遊技客毎の差玉のばらつきが大きいことを示している。
【００３１】
次に、差玉標準偏差値を求める。この差玉標準偏差値は差玉分散値の平方根により求められ、この値が大きい程平均の差玉に対する差玉のばらつきが大きいことを意味している。この場合、差玉標準偏差値は５９２６である。
【００３２】
続いて、特賞平均値を求める。この場合、４人の遊技客による特賞回数は、３回、９回、５回，０回であるので、その特賞平均値は４．２５回となる。
次に、特賞分散値を次の式から求める。
特賞分散値＝｛（３−４．２５）２  ＋（９−４．２５）２  ＋（５−４．２５）２  ＋（０−４．２５）２  ｝／４＝１０．６８
この特賞分散値は特賞の発生の分散の度合いを示しており、この値が大きい程遊技客毎の特賞の発生がばらついていることを示している。
【００３３】
次に、特賞標準偏差値を求める。この特賞標準偏差値は、特賞分散値の平方根により求められ、この値が大きい程特賞の発生がばらついていることを意味している。この場合、特賞標準偏差値は３．２６となる。
【００３４】
一方、図３は不正基板が取付けられたパチンコゲーム機２の１日の稼動データを示している。この図３に示すように、１人目の遊技客による差玉は−１００００で特賞回数は０回、２人目の遊技客による差玉は−７５００個で特賞回数は０回、３人目の遊技客による差玉は＋３７５００個で特賞回数は１８回、４人目の遊技客による差玉は−９０００個で特賞回数は０回であった。
【００３５】
この場合、３人目の遊技客が不正客であり、一人だけ極めて多数のセーフ玉を得ているものの、他の遊技客が多数のアウト玉を打込んでいるので、各遊技客による差玉平均値が２７５０、特賞平均値が４．５となり、図２に示した正規基板によるパチンコゲーム機２の一日分の収支或いは差玉平均（＝２５００）或いは特賞平均（＝４．２５）とほとんど変わらず、ホールコンピュータ３による集計結果だけでは不正基板の使用を判別することはできない。
【００３６】
ここで、上述した正規基板の稼動データと同様にして、差玉分散値を求めると、差玉分散値＝｛（−１００００−２７５０）２＋（−７５００−２７５０）２＋（３７５００−２７５０）２＋（−９０００−２７５０）２｝／４＝４０３３１２５００となり、この場合の差玉標準偏差値は２００８２となる。
また、特賞分散値を求めると、特賞分散値＝｛（０−４．５）２＋（１８−４．５）２＋（０−４．５）２＋（０−４．５）２｝／４＝６０．７５となり、この場合の特賞標準偏差値は７．７９となる。
【００３７】
ここで、正規基板の場合と不正基板の場合における差玉標準偏差値及び特賞標準偏差値を比較すると、不正基板が使用されたパチンコゲーム機２にあっては、差玉標準偏差値及び特賞標準偏差値が正規基板が使用されたパチンコゲーム機２に比較して過度に大きくなるので、設定比較部８に差玉標準偏差基準値として例えば１００００を設定すると共に、特賞標準偏差基準値として例えば５を設定しておき、上述のようにして求めた差玉標準偏差値が設定比較部８に設定された差玉標準偏差基準値を上回ったり、特賞標準偏差値が特賞標準偏差基準値を上回ったときは、異常検知部９から異常報知を発生する。
【００３８】
従って、ホールコンピュータ３から異常報知が発せられたときは、判定対象のパチンコゲーム機２に不正基板が取付けられている可能性が高いので、担当従業員は、以後、そのパチンコゲーム機２で遊技する客を監視し、不正客を摘発するように努めることができる。
【００３９】
上記構成のものによれば、パチンコゲーム機２の特定の稼動データに基づいて遊技客毎の分散度（標準偏差値）を求め、その分散度が予め設定された基準分散度を上回っていたときは、不正基板が使用されている可能性が高いとして異常を報知するようにしたので、単に稼動データに基づいて異常を判定する従来構成のものと違って、不正基板の判定精度を高めることができる。
【００４０】
また、このような不正基板の判定は、従来構成に遊技客の交替を検出する機能を付加するだけで実施することができるので、コストが上昇することなく容易に実施することができる。
【００４１】
本発明は、上記実施例にのみ限定されるものではなく、次のように変形または拡張できる。
本実施例では、遊技客毎の差玉及び特賞の分散度を利用して不正基板を発見するようにしたが、分散度を以下に示す遊技客毎の稼動データを利用して求めるようにしてもよい。
（１）特賞中差玉（特賞中アウト玉数−特賞中セーフ玉数）
（２）確率変動機の場合は、確率変動モード中の特賞回数及び連続回数（台の特性に応じた確率変動モード中における最大特賞回数、最大特賞回数の時間内の連続回数）
（３）特賞回数／時間（一定時間内の特賞回数）
（４）変動確率台の回数（台の特性に応じた特賞回数に占める確率変動突入回数）
【００４２】
【発明の効果】
以上の説明から明らかなように、本発明の遊技機の異常検出装置によれば、遊技客毎の遊技機の稼動データに基づいて遊技客毎の遊技分散度を求め、その遊技分散度が基準遊技分散度から外れていたときは異常を報知するようにしたので、遊技機の稼動データに基づいて遊技機の異常を発見することが可能となるという優れた効果を奏する。
【図面の簡単な説明】
【図１】本発明の一実施例における全体のシステム構成を示す概略図
【図２】正規基板の差玉データサンプルを示す図
【図３】不正基板の差玉データサンプルを示す図
【図４】  正規基板及び不正基板の稼動データサンプルを示す図
【符号の説明】
１はデータ収集端末器、２はパチンコゲーム機（遊技機）、３はホールコンピュータ（データ管理手段、客交替判定手段、遊技分散度判定手段、報知手段）、６は台毎計数リプレイ機である。
【図１】
0004077057.tif 000002
【図２】
0004077057.tif 000003
【図３】
0004077057.tif 000004
【図４】
0004077057.tif 000005